(57)【要約】【課題】長尺であっても、見栄えが悪くならず、取り扱い易い照明装置を提供する。【解決手段】照明装置は、長尺状に配列された発光素子２１と発光素子２１を覆う長尺状の透光性カバー２２とを含む長尺状の発光ユニット２０と、発光ユニット２０が取付けられている長尺状の凹部を有する器具本体１０とを備え、透光性カバー２２は、長手方向に直交する断面において、凹部の開口部分の短手方向の幅と略同一の幅のままでカバー本体（２２０）から突出する一対の突出部分２２１と、一対の突出部分２２１のそれぞれに隣接して凹部に入り込む一対の入り込み部分２２２とを有し、突出部分２２１の少なくとも外側の一部に凹凸２２１ａが設けられている。【選択図】図２
2017045595.tif 000002
【特許請求の範囲】
【請求項１】
長尺状に配列された発光素子と当該発光素子を覆う長尺状の透光性カバーとを含む長尺状の発光ユニットと、
前記発光ユニットが取付けられている長尺状の凹部を有する器具本体とを備え、
前記透光性カバーは、長手方向に直交する断面において、前記凹部の開口部分の短手方向の幅と略同一の幅のままでカバー本体から突出する一対の突出部分と、前記一対の突出部分のそれぞれに隣接して前記凹部に入り込む一対の入り込み部分とを有し、
前記突出部分の少なくとも外側の一部に凹凸が設けられている
照明装置。
【請求項２】
前記発光ユニットは、前記一対の入り込み部分それぞれの内側と当接する当接部を有する支持部材を備え、
前記透光性カバーは、前記突出部分と前記入り込み部分とから内方へと突出する一組の突出片を有し、
前記透光性カバーは、前記一組の突出片の間に前記支持部材の当接部が嵌合することで、前記支持部材により支持されている
請求項１に記載の照明装置。
【請求項３】
前記支持部材は、前記発光素子が実装されている発光素子基板を支持する基板支持部を有し、
前記発光ユニットは、シート状の反射部材を備え、
前記反射部材は、前記長手方向と直交する断面において、前記発光素子基板と前記支持部材との間に配されて支持される支持領域部と、前記支持領域部の両端から前記嵌合する部分にまで延伸する延伸領域部とを有する
請求項２に記載の照明装置。
【請求項４】
前記支持部材は、前記基板支持部と前記当接部との間に前記発光素子の光出射方向に進むに従って前記発光素子から遠ざかる傾斜面を有し、
前記延伸領域部が前記傾斜面に配されている
請求項３に記載の照明装置。
【発明の詳細な説明】
【技術分野】
【０００１】
本発明は、照明装置に関し、特に、長尺な照明装置の見栄えを悪くせずに、取り扱い易くするための技術に関する。
【背景技術】
【０００２】
近年、白熱電球や蛍光灯に比べて消費電力が少なく耐久性に優れた、発光ダイオード（ＬＥＤ：Light Emitting Diode。以下「ＬＥＤ」と記す）を使用した照明装置が実用化されている。この様なＬＥＤを使用した照明装置のうち、天井面に設置するタイプのＬＥＤベースライトは、設置作業の効率化などの理由から、先に取り付ける器具本体と器具本体に取り付ける発光ユニットとに分れているものが多い。
例えば特許文献１には、補強リブを有する補強部材を用いることにより、十分な機械強度を備えた長尺な照明装置が開示されている。また特許文献２には、板金製の器具本体に板金製の反射笠を止め金具にて取り付けることにより、外観の見栄えを低下させることなく器具本体と反射笠とを電気的に導通して、反射笠のアースを容易に行なう照明装置が開示されている。また特許文献３には、カバー部材を本体の開口部よりも外側に突出させることにより、上方側へ照射される光の量を増やして、明るさ感を向上させる照明装置が開示されている。
【先行技術文献】
【特許文献】
【０００３】
【特許文献１】特開２０１３−１７９０１４号公報
【特許文献２】特許第４０４５７８８号公報
【特許文献３】特許第５７０４４２０号公報
【発明の概要】
【発明が解決しようとする課題】
【０００４】
業務用として特に多くの需要が見込まれる縦長のＬＥＤベースライトでは、作業効率等を向上させるためにより可能な限り長尺にしたいという要望がある。
ところが、上記ＬＥＤベースライトを長尺にすると、発光ユニットがたわみ易くなり、器具本体と発光ユニットとの境界部分に隙間が生じて見栄えが悪くなるという問題がある。
長尺化に伴い器具本体と発光ユニットとの接続箇所を増やせば、たわみの問題は解消するかもしれないが、器具本体と発光ユニットとの間には、点灯回路や配線等を収容するためのスペースが必要であるため、効果的な位置に接続箇所を設けることができない場合がある。
本発明は、このような事情に鑑みてなされたものであって、長尺にした場合であっても、見栄えが悪くならず、取り扱い易い照明装置を提供することを目的とする。
【課題を解決するための手段】
【０００５】
上記課題を解決するために、本発明の一態様に係る照明装置は、長尺状に配列された発光素子と当該発光素子を覆う長尺状の透光性カバーとを含む長尺状の発光ユニットと、前記発光ユニットが取付けられている長尺状の凹部を有する器具本体とを備え、前記透光性カバーは、長手方向に直交する断面において、前記凹部の開口部分の短手方向の幅と略同一の幅のままでカバー本体から突出する一対の突出部分と、前記一対の突出部分のそれぞれに隣接して前記凹部に入り込む一対の入り込み部分とを有し、前記突出部分の少なくとも外側の一部に凹凸が設けられている。
【発明の効果】
【０００６】
本発明によれば、カバー本体に、長手方向に直交する断面において開口部分の短手方向の幅と略同一の幅のままで突出する一対の突出部分を設けることにより、見栄えを悪くせずに、突出部分の平面に水平な方向へのたわみを抑制することができる。
また、カバー本体に、一対の突出部分のそれぞれに隣接して、器具本体の凹部に入り込む一対の入り込み部分を設けることにより、発光ユニットがたわんだ場合でも、器具本体と発光ユニットとの境界部分に隙間が生じないので、見栄えが悪くならない。
また、取り扱いの際に作業者が掴むであろう一対の突出部分には凹凸が設けられている。これにより、凹凸が滑り止めとなり、発光ユニットをよりしっかりとホールドすることができるので、見栄えを悪くせずに、取り扱い易くすることができる。また、凹凸によりデザイン性にも優れた照明装置を提供できる。
【図面の簡単な説明】
【０００７】
【図１】本実施形態に係る照明装置の外観を示す図である。
【図２】照明装置の断面図である。
【図３】器具本体から発光ユニットを取り外した際の外観を示す図である。
【図４】器具本体の概要を示す図であり、（Ａ）は取付面側から見た図であり、（Ｂ）は発光面側から見た図である。
【図５】発光ユニットの分解斜視図である。
【図６】発光ユニットの長手方向の中央部での横断面図である。
【図７】基板固定部材の斜視図である。
【図８】基板固定部材の図であり、（Ａ）は発光素子基板の長手方向の一方から見た図であり、（Ｂ）は発光素子基板の長手方向の他方から見た図であり、（Ｃ）は斜視図である。
【図９】配線固定部材の図であり、（Ａ）は発光素子支持部材側から見た図であり、（Ｂ）は斜視図である。
【図１０】主反射部材の斜視図である。
【発明を実施するための形態】
【０００８】
［概要］
一態様に係る照明装置は、長尺状に配列された発光素子と当該発光素子を覆う長尺状の透光性カバーとを含む長尺状の発光ユニットと、前記発光ユニットが取付けられている長尺状の凹部を有する器具本体とを備え、前記透光性カバーは、長手方向に直交する断面において、前記凹部の開口部分の短手方向の幅と略同一の幅のままでカバー本体から突出する一対の突出部分と、前記一対の突出部分のそれぞれに隣接して前記凹部に入り込む一対の入り込み部分とを有し、前記突出部分の少なくとも外側の一部に凹凸が設けられている。
別態様に係る照明装置において、前記発光ユニットは、前記一対の入り込み部分それぞれの内側と当接する当接部を有する支持部材を備え、前記透光性カバーは、前記突出部分と前記入り込み部分とから内方へと突出する一組の突出片を有し、前記透光性カバーは、前記一組の突出片の間に前記支持部材の当接部が嵌合することで、前記支持部材により支持されている。これにより透光性カバーと支持部材との組み立てを容易に行うことができる。
【０００９】
別態様に係る照明装置において、前記支持部材は、前記発光素子が実装されている発光素子基板を支持する基板支持部を有し、前記発光ユニットは、シート状の反射部材を備え、前記反射部材は、前記長手方向と直交する断面において、前記発光素子基板と前記支持部材との間に配されて支持される支持領域部と、前記支持領域部の両端から前記嵌合する部分にまで延伸する延伸領域部とを有する。これにより反射部材を容易に設けることができ、光の取出効率を高めることができる。
別態様に係る照明装置において、前記支持部材は、前記基板搭載領域と前記当接部との間に前記発光素子の光出射方向に進むに従って前記発光素子から遠ざかる傾斜面を有し、前記延伸領域部が前記傾斜面に配されている。これにより反射部材を簡単な構成で支持できる。
【００１０】
以下において、本実施形態の照明装置が天井に取り付けられた場合を想定（図４参照）し、図４に示すように、床から天井へ向かう方向を『上方向』とし、天井から床へ向かう方向を『下方向』とする。また、図中の説明においては、鉛直上向き（前記上方向）を『Ｚ方向』、鉛直下向き（前記下方向）を『−Ｚ方向』とし、照明装置の長手方向の一方を『Ｘ方向』、他方向を『−Ｘ方向』とし、照明装置の幅方向の一方を『Ｙ方向』、他方向を『−Ｙ方向』とする。
【００１１】
［照明装置の全体構成］
図１は、本実施形態に係る照明装置１の外観を示す図である。
図２は、照明装置１の断面図である。
図３は、器具本体１０から発光ユニット２０を取り外した際の外観を示す図である。
照明装置１は、例えば天井又は壁等の被取付面に取り付けられるＬＥＤベースライトであり、器具本体１０及び発光ユニット２０を備える。
器具本体１０は、吊りボルトにより被取付面に固定される金属製の部材であり、発光ユニット２０が取付けられる長尺状の凹部１１１（図４参照）を有している。
発光ユニット２０は、ＬＥＤ等の発光素子２１を配列し、電源部２９を搭載した長尺状の発光体であり、発光素子２１の発光面側を覆い光を拡散させて透過する長尺状の透光性カバー２２を含む。発光ユニット２０を器具本体１０の凹部１１１に取り付けた状態において、透光性カバー２２が凹部１１１における一対の側壁１１５ａ，１１６ａのそれぞれの開口の周辺部分に接触している。
【００１２】
［器具本体の詳細な説明］
図４は器具本体１０の概要を示す図であり、（Ａ）は取付面側から見た図であり、（Ｂ）は発光面側から見た図である。
図４の（Ａ）及び図４の（Ｂ）に示すように、器具本体１０は、取付部材１１、第１端板１２１、第２端板１２２、第１バネ部１３ａ、第２バネ部１３ｂ及び端子台１４を備える。
【００１３】
器具本体１０の凹部１１１は、略長方形の底壁１１４と、底壁１１４の長辺から開口１１１ａに向かう程互いの間隔が広くなっていく一対の側壁１１５ａ，１１６ａと、底壁１１４の短辺から略垂直に開口１１１ａに向かう一対の端壁１２１ａ，１２２ａとにより構成されている。
取付部材１１は、例えば金属板を曲げ加工することにより形成されており、略中央に位置する略長方形の底板部１１４と、底板部１１４の長辺の一方（図４の（Ｂ）における−Ｙ側）を境界線として隣接する第１側板部１１５と、底板部１１４の長辺の他方（図４の（Ｂ）におけるＹ側）を境界線として隣接する第２側板部１１６とからなる。
底板部１１４は、金属製の長方形の平板の略中央部分を固定し、第１側板部１１５との境界線の位置で発光面側へＸ度（Ｘは、６０以上  ８０以下の範囲内が好ましい。）に折り曲げ、同様に、第２側板部１１６との境界線の位置とで発光面側へＸ度に折り曲げることで形成されている。ここで、底板部１１４の主面の一方（主面１１４ａ）が、凹部１１１における上記底壁１１４を構成する。なお、底板部及び底壁の符号も「１１４」を使用する。
【００１４】
第１側板部１１５は、底板部１１４との境界線の位置で発光面側へ折り曲げられた当該境界線側を固定し、当該境界線と平行な折返線の位置で、取付面側へ折り曲げることで形成されている。ここで、当該境界線と当該折返線とにより囲まれた領域の表面が、凹部１１１における上記一対の側壁の１つである第１側壁１１５ａを構成する。つまり、第１側板部１１５は、第１側板部１１５の長手方向に直交する断面において、発光面側に凸の「Ｌ」字状をし、凹部１１１の第１側壁１１５ａを構成する部分と、凹部１１１と反対側に折り返された折返部１１５ｂとを有する。なお、第１側壁１１５ａの符号も「１１５ａ」を使用する。
【００１５】
第２側板部１１６は、底板部１１４との境界線の位置で発光面側へ折り曲げられた当該境界線側を固定し、当該境界線と平行な折返線の位置で、取付面側へ折り曲げることで形成されている。ここで、当該境界線と当該折返線とにより囲まれた領域の表面が、凹部１１１における上記一対の側壁の１つである第２側壁１１６ａを構成する。つまり、第２側板部１１６は、第２側板部１１６の長手方向に直交する断面において、発光面側に凸の「Ｌ」字状をし、凹部１１１の第２側壁１１６ａを構成する部分と、凹部１１１と反対側に折り返された折返部１１６ｂとを有する。なお、第２側壁１１６ａの符号も「１１６ａ」を使用する。
【００１６】
底板部１１４には、吊りボルト用孔１５と電力供給ケーブル用孔１６とが設けられている。吊りボルト用孔１５は、吊りボルトにより被取付面に器具本体１０を取り付ける際に、吊りボルトを通すために設けられた貫通孔である。電力供給ケーブル用孔１６は、電力供給ケーブルを被取付面から凹部１１１内に引き込むために設けられた貫通孔である。
【００１７】
第１端板１２１及び第２端板１２２は、例えば金属製であり、金属板を曲げ加工することにより形成されている。第１端板１２１は、取付部材１１の長手方向の一端を覆うように取り付けられ、その一部が凹部１１１における上記一対の端壁の１つである第１端壁１２１ａを構成し、第２端板１２２は、取付部材１１の長手方向の他端を覆うように取り付けられ、その一部が凹部１１１における上記一対の端壁の１つである第２端壁１２２ａを構成する。
【００１８】
ここで、凹部１１１は、底板部１１４、第１側板部１１５、第２側板部１１６、第１端板１２１及び第２端板１２２で囲まれる空間である。また、凹部１１１の開口１１１ａは、第１側板部１１５の折返線、第２側板部１１６の折返線、第１端板１２１における発光面側の端縁部分及び第２端板１２２における発光面側の端縁部分で囲まれる領域である。
なお、取付部材１１、第１端板１２１及び第２端板１２２はそれぞれ、金属製ではなく樹脂製であってもよく、樹脂材料を例えば射出成形、又はプレス成形することにより形成してもよい。
【００１９】
第１バネ部１３ａ及び第２バネ部１３ｂは、例えば金属製のバネであり、底板部１１４に固定されている。第１バネ部１３ａは後述する発光ユニット２０の第１バネ受部２８ａと係合し、第２バネ部１３ｂは後述する発光ユニット２０の第２バネ受部２８ｂと係合することにより、発光ユニット２０の一部が器具本体１０の凹部１１１に入り込んだ状態が維持される。
【００２０】
端子台１４は、ネジ等により底板部１１４に固定されており、電力供給ケーブルが被取付面から電力供給ケーブル用孔１６を通って凹部１１１内に引き込まれて端子台１４に接続され、後述する電源部２９に電気的に接続される。
【００２１】
［発光ユニットの詳細な説明］
図５は、発光ユニット２０の分解斜視図である。
図６は、発光ユニット２０の長手方向の中央部での横断面図である。
図２、図４〜図６に示すように、発光ユニット２０は、発光素子２１、透光性カバー２２、発光素子基板２３、発光素子支持部材２４、基板固定部材２５，２６、配線固定部材２７、第１バネ受部２８ａ、第２バネ受部２８ｂ、電源部２９、主反射部材３０及び副反射部材３１を含む。なお、発光素子支持部材２４は本発明の支持部材の一例に相当する。
【００２２】
発光素子２１は、ＬＥＤ等の電力の供給を受けて発光する小型の発光体であり、ここでは図６に示すように二列に配列され、発光素子基板２３の長手方向に沿って複数個配されている。
【００２３】
透光性カバー２２は、例えば樹脂製であり、長尺状であって発光素子２１を覆い、発光素子２１から放射された光を拡散させて透過する機能を備える。また、透光性カバー２２は、図６に示すように、長手方向に直交する断面において、発光素子２１を覆うカバー部分（カバー本体である。）２２０と、凹部１１１の開口部分の短手方向の幅と略同一のまま又は短手方向の幅より小さいままで器具本体１０から突出する一対の突出部分２２１（図２参照）と、一対の突出部分２２１のそれぞれに隣接して、凹部１１１に入り込む一対の入り込み部分２２２とを有する。
【００２４】
カバー部分２２０は、図６に示すように，長手方向に直交する断面において、Ｕ字状（コ字状、Ｖ字状も同じ概念である。）をしている。一対の突出部分２２１は長手方向と直交する断面において、カバー部分２２０の各端から延伸している。延伸方向は発光素子２１の光の主出射方向と略平行であって出射する向きと反対向きである。入り込み部分２２２は突出部分２２１におけるカバー部分２２０と連結している側と反対側の端から延伸している。延伸方向は凹部１１１を構成する一対の側壁１１５ａ，１１６ａに沿う方向である。
本実施形態では、透光性カバー２２は、図３及び図５に示すように、主カバー２２ａ、第１エンドカバー２２ｂ及び第２エンドカバー２２ｃとを含む。主カバー２２ａは発光素子２１を覆う主要部分であり、第１エンドカバー２２ｂは主カバー２２ａの長手方向の一端を覆うように取り付けられ、第２エンドカバー２２ｃは主カバー２２ａの長手方向の他端を覆うように取り付けられる。なお、透光性カバー２２はこれらが一体成型されたものであってもよい。
【００２５】
ここで、発光ユニット２０がたわんだ場合には、凹部１１１に入り込んでいた一対の入り込み部分２２２が露出する（露出している部分の面積が広くなる。）ことになるので、器具本体１０と発光ユニット２０との境界部分に隙間が生じないため、見栄えが悪くならない。
また、一対の突出部分２２１がそれぞれ略平面であり、互いに平行であるため、取り扱いの際に作業者が一対の突出部分２２１を掴むことにより、発光ユニット２０をしっかりとホールドすることができ、見栄えを悪くせずに、取り扱い易くすることができる。
また、透光性カバー２２が、器具本体１０の開口１１１ａから横方向（短手方向）に食み出さないので、見た目がスッキリしてデザイン性に優れる。
【００２６】
一対の突出部分２２１は、図６に示すように、それぞれ、少なくとも外側の一部に凹凸２２１ａを有することが好ましい。特に取り扱いの際に作業者が掴むと重量バランスがよい２か所又は４か所に凹凸２２１ａを設けるか、あるいは全体（全長に亘って）に凹凸２２１ａを設けると、凹凸２２１ａが滑り止めとなり、発光ユニット２０をよりしっかりとホールドすることができるようになるので、より好ましい。また、一対の突出部分２２１の大部分に凹凸２２１ａを設けると、デザイン性にも優れる。
上記凹凸２２１ａを設けるとは、突出部分２２１の外側の表面に何等かの方法（例えば、加工や成形）を施すことをいうが、当該表面の形状を変形させてもよいし、当該表面に凹凸となるような他の材料を付着（例えば塗布である。）させてもよい。
凹凸２２１ａには、例えば、突出部分２２１の外側の表面で凹凸を設けていない部分を基準として凹みと凸むとの両方から構成される場合だけでなく、凹凸を設けていない部分を基準として凹みのみから構成される場合や凸むのみから構成される場合も含む概念である。
【００２７】
凹凸２２１ａは、突出部分２２１の厚み方向に形成される凹み又は凸むを上下方向に延伸させて縦縞状に構成してもよいし、突出部分２２１の厚み方向に形成される凹み又は凸むを透光性カバー２２の長手方向に延伸させて横縞状に構成してもよい。凹凸２２１ａを上下方向・長手方向に交差させて網目状に構成してもよい。さらに凹凸２２１ａを傾斜状に設けてもよい。
凹凸２２１ａの断面形状は、矩形波状であってもよいし、三角波状であってもよいし、間隔をおいて三角状、矩形状、半円状に突出又は凹入してもよい。凹凸２２１ａの高低差は０．１［ｍｍ］以上、３［ｍｍ］以下の範囲内が好ましい。
例えば、突出部分２２１の外側の表面で凹凸を設けていない部分を基準として凹凸が凹みのみから構成される場合は、０．１［ｍｍ］以上  １．４［ｍｍ］以下の範囲内が好ましい。但し、凹みを除いた肉厚は０．３［ｍｍ］程度必要である。例えば、突出部分２２１の外側の表面で凹凸を設けていない部分を基準として凹凸が凸むのみから構成される場合は、０．１［ｍｍ］以上  肉厚（凸むを除いた肉厚である。）以下の範囲内が好ましい。例えば、突出部分２２１の外側の表面で凹凸を設けていない部分を基準として凹凸が凹みと凸むとの両方から構成される場合は、０．１［ｍｍ］以上３［ｍｍ］以下の範囲内が好ましい。但し、凹みを除いた肉厚は０．３［ｍｍ］程度必要である。
凹凸のピッチは、０．１［ｍｍ］以上２［ｍｍ］以下の範囲内が好ましい。
【００２８】
一対の入り込み部分２２２は、凹部１１１における一対の側壁１１５ａ，１１６ａに丁度収まるように、凹部１１１の開口１１１ａから底板部１１４の長辺方向に向かうに従って互いの間隔が狭くなっている。これにより、一対の入り込み部分２２２のそれぞれの外側は、凹部１１１における一対の側壁１１５ａ，１１６ａのそれぞれに接触した状態で、発光ユニット２０が器具本体１０に取り付けられる。
また、透光性カバー２２は、図６に示すように、長手方向に直交する断面において、一対の突出部分２２１のそれぞれの内側と、一対の入り込み部分２２２のそれぞれの内側とに、内方へと突出する一対の突出片２２１ｂ，２２２ａを有している。ここで、片側の突出部分２２１の突出片２２１ｂと入り込み部分２２２の突出片２２２ａとで構成される１組の突出片２２１ｂ，２２２ａ間の距離は、後述する発光素子支持部材２４の折返部２４ｂの大きさに対応している。発光素子支持部材２４の折返部２４ｂは、基板支持部２４ａの幅方向の両端のそれぞれから幅方向の斜め外方（斜め下方）へ向かった後に折り返されて幅方向の内方へ向かう一対の部分である。折返部２４ｂは、図６に示すように、一対の入り込み部分２２２のそれぞれの内側に当接して、透光性カバー２２を支える。これにより、透光性カバー２２の突出片２２１ｂと突出片２２２ａとの間の部分が、発光素子支持部材２４の折返部２４ｂに嵌合して、透光性カバー２２が発光素子支持部材２４に取り付けられる。なお、折返部２４ｂは本発明の当接部の一例に相当する。
ここで、発光素子２１の発光の際に発生した熱は、発光素子基板２３、発光素子支持部材２４、一対の入り込み部分２２２を経由して取付部材１１に伝導する。
【００２９】
発光素子基板２３は、例えばガラスエポキシ等の難燃性の材料によりなる長尺状の回路基板であり、一方の面に複数の発光素子２１が実装される。なお、発光素子基板２３は、複数の基板を接続したものであってもよい。本実施形態では、図５に示すように、発光素子基板２３は、発光素子基板２３ａと発光素子基板２３ｂの２枚を接続したものであり、これらは配線（図示省略）により接続されている。なお、配線は、後述する配線固定部材２７に固定され、発光素子２１からの光を遮るのを抑制している。
【００３０】
発光素子支持部材２４は、例えば金属製であり、図６に示すように、取付面側に凹むように形成された基板支持部２４ａを有している。基板支持部２４ａは、発光素子基板２３よりも幅が広く、ここに発光素子基板２３が支持される。また発光素子支持部材２４は、発光素子２１の熱を放熱及び伝熱するヒートシンクの機能を備える。
図６に示すように、長手方向と直交する断面において、発光素子支持部材２４は、透光性カバー２２を装着する（一対の突出片２２１ｂ，２２２ａと嵌合する）ための折返部２４ｂを短手方向の端部に有する。発光素子支持部材２４は、基板支持部２４ａと折返部２４ｂとを連結する連結部２４ｃを有している。一対の連結部２４ｃは、基板支持部２４ａと直交する方向（発光素子２１の光出射する方向である。）に湾曲した後、発光素子２１からその光の出射方向に離れるに従って両連結部２４ｃの間隔が大きくなるように傾斜状に広がっている。なお、連結部２４ｃは後述の主反射部材３０を支持する機能も有する。
【００３１】
図５に示すように、発光素子支持部材２４は、配線を通すための貫通孔や、基板固定部材２５，２６、配線固定部材２７、第１バネ受部２８ａ、第２バネ受部２８ｂ、電源部２９を固定するための貫通孔を基板支持部２４ａに複数有する。
図７は、基板固定部材２５の斜視図である。
図５及び図７に示すように、基板固定部材２５は、例えば樹脂製の固定具で複数個あり、長尺状の発光素子基板２３を長手方向に間隔をおいて固定する。基板固定部材２５は、図７に示すように、発光素子支持部材２４の取付面側に配されるベース部２５ａと、ベース部２５ａから立設する一対の立設部２５ｂと、一対の立設部２５ｂの立設先端から他方の立設部２５ｂに向かって延伸する延伸部２５ｃとを有する。
【００３２】
一対の立設部２５ｂは発光素子基板２３の長手方向に沿って延伸する。一対の立設部２５ｂの間隔は発光素子基板２３の短手方向の寸法に対応する。一対の立設部２５ｂは、発光素子支持部材２４の貫通孔２４ｄを挿通して発光素子基板２３の長手方向に沿う端部（短手方向と直交する端部）へと延伸する。立設部２５ｂの立設高さは、長手方向の中央部が低く、端部で高くなっている。基板固定部材２５における長手方向の中央部での延伸部２５ｃとベース部２５ａとの間隔は、発光素子支持部材２４の基板支持部２４ａの厚みと発光素子基板２３の厚みと主反射部材３０の厚みの合計に略等しい。これにより、一対の延伸部２５ｃが発光素子基板２３の長手方向に沿う端部を係止する係止片を構成する。
【００３３】
図８は、基板固定部材２６の図であり、（Ａ）は発光素子基板２３の長手方向の一方から見た図であり、（Ｂ）は発光素子基板２３の長手方向の他方から見た図であり、（Ｃ）は斜視図である。
図５及び図８に示すように、基板固定部材２６は、例えば樹脂製の固定具であり、長尺状の発光素子基板２３ａ，２３ｂの隣接する部分を固定する。基板固定部材２６は、図８に示すように、発光素子支持部材２４の取付面側に配されるベース部２６ａと、ベース部２６ａから立設する一対の立設部２６ｂと、一対の立設部２６ｂの立設先端から他方の立設部２６ｂに向かって延伸する延伸部２６ｃとを有する。
【００３４】
一対の立設部２６ｂは発光素子基板２３の長手方向に沿って延伸する。一対の立設部２６ｂの間隔は発光素子基板２３の短手方向の寸法に対応する。一対の立設部２６ｂは、発光素子支持部材２４の貫通孔２４ｅを挿通して発光素子基板２３の長手方向に沿う端部（短手方向と直交する端部）へと延伸する。延伸部２６ｃとベース部２６ａとの間隔は、発光素子支持部材２４の基板支持部２４ａの厚みと発光素子基板２３の厚みと主反射部材３０の厚みの合計に略等しい。これにより、一対の延伸部２６ｃが発光素子基板２３の長手方向い沿う端部を係止する係止片を構成する。
基板固定部材２６は、電源部２９と発光素子基板２３とを接続する配線（図示省略）を保護する保護部２６ｄを有している。電源部２９からの配線は基板支持部２４ａの貫通孔２４ｆを挿通する。保護部２６ｄは発光素子基板２３の長手方向の一端側が開口する配線通路２６ｅを内部に有し、貫通孔２４ｆと一緒に配線を覆う。
【００３５】
図９は、配線固定部材２７の図であり、（Ａ）は発光素子支持部材２４側から見た図であり、（Ｂ）は斜視図である。
図５及び図９に示すように、配線固定部材２７は、発光素子基板２３と接続する配線を固定する。これは、配線が発光素子２１から発せられた光を遮るのを防止するためである。配線固定部材２７は、図９に示すように、発光素子基板２３の長手方向に沿って延伸する本体部２７ａと、本体部２７ａの長手方向の両端に設けられた固定ピン部２７ｂとを有する。本体部２７ａにおける発光素子基板２３側には配線が配される配線収容溝が設けられている。配線収容溝は発光素子支持部材２４の基板支持部２４ａ側からみたときにＵ字状をしている。Ｕ字状の配線収容溝は、発光素子基板２３の短手方向に延伸する一対の横溝２７ｃと一対の横溝２７ｃにおける発光素子基板２３から遠い側を長手方向に連結する縦溝２７ｄとから構成される。
【００３６】
配線は、隣接する発光素子基板２３ａ，２３ｂを接続する配線と、電源部２９と発光素子基板２３とを接続する配線とがある。発光素子基板２３ａ，２３ｂ同士を接続する配線は、発光素子基板２３の短手方向に延伸する（Ｕ字における開口と対向する連結部分が長手方向に延伸する）Ｕ字状をし、配線収容溝内に配される。電源部３９と発光素子基板２３とを接続する配線は発光素子基板２３に対して短手方向から接続され、配線収容溝の一対の横溝２７ｃ内に配される。
なお、本体部２７ａにおける発光素子支持部材２４の基板支持部２４ａと反対側の面は、発光素子基板２３に近づくに従って低くなる傾斜面２７ｅとなっており、図６に示すように主反射部材３０の延伸領域部３０ｂの傾斜配置を妨げないようにしている。
【００３７】
図５に示す第１バネ受部２８ａ及び第２バネ受部２８ｂは、例えば金属製の金具であり、発光素子支持部材２４の取付面側に固定されており、第１バネ受部２８ａは器具本体１０の第１バネ部１３ａ（図４の（Ｂ）参照）と係合し、第２バネ受部２８ｂは器具本体１０の第２バネ部１３ｂ（図４の（Ｂ）参照）と係合する。
第１バネ部１３ａ及び第２バネ部１３ｂは、発光ユニット２０を器具本体１０に取り付けた際に、透光性カバー２２における入り込み部分２２２が、器具本体１０の凹部１１１における一対の側壁１１５ａ，１１６ａに押圧されるように弾性力を与える。これにより、器具本体１０と発光ユニット２０とが確実に接触し、発光素子２１の発光の際に発生した熱を器具本体１０側に伝導させて効率よく排熱することができる。
なお、本実施形態では、第１バネ部１３ａ及び第２バネ部１３ｂを器具本体１０側に設け、第１バネ受部２８ａ及び第２バネ受部２８ｂを発光ユニット２０側に設けているが、第１バネ部１３ａ及び第２バネ部１３ｂを発光ユニット２０側に設け、第１バネ受部２８ａ及び第２バネ受部２８ｂを器具本体１０側に設けてもよい。
【００３８】
電源部２９は、図３及び図５に示すように略直方体形状のボックス２９ａ内にＬＥＤ等の発光素子２１の点灯回路を収納した点灯ユニットであり、交流電力の供給を受けて、発光素子２１の点灯に適した安定した直流電力を出力する。なお、点灯回路は、基板２９ｂと回路部品２９ｃとから構成される。
【００３９】
図１０は、主反射部材３０の斜視図である。
図５、図６及び図１０に示すように、主反射部材３０は、例えば反射シートであり、発光素子２１から照射すべきでない方向へ発せられた光を照射すべき方向に反射する機能を備える。詳細には、主反射部材３０は、図６及び図１０に示すように、発光素子基板２３と発光素子支持部材２４の基板支持部２４ａとの間に配された支持領域部３０ａと、支持領域部３０ａの短手方向の端部から延伸する延伸領域部３０ｂとを有する。延伸領域部３０ｂは発光素子基板２３の長辺から離れる程、照射すべき方向へ突出するように傾斜している。
【００４０】
延伸領域部３０ｂは、図６に示すように、発光素子支持部材２４の連結部２４ｃの傾斜面に当接するように延伸し、延伸先端部が連結部２４ｃと透光性カバー２２の突出片２２１ｂとの間に配される。これにより、主反射部材３０としてシートを使用しても所定の傾斜状態が保持される。なお、主反射部材３０は、図１０に示すように、基板固定部材２５，２６の延伸部２５ｃ，２６ｃに対応して貫通孔３０ｃを有する。
【００４１】
副反射部材３１は、例えば反射シートであり、発光素子２１から照射すべきでない方向へ発せられた光を照射すべき方向に反射する機能を備える。詳細には、副反射部材３１は、図５及び図６に示すように、帯状をし、発光素子基板２３の発光素子２１に対応する部分に貫通孔を有している。
【００４２】
以上のように、本実施形態の照明装置１によれば、透光性カバー２２に、一対の突出部分２２１を設けることにより、見栄えを悪くせずに、突出部分２２１の平面に水平な方向へのたわみを抑制することができ、特に照明装置１を天井に取り付けた際に透光性カバー２２がたわみ難くなる。
また、透光性カバー２２に、一対の突出部分２２１のそれぞれに隣接して、一対の入り込み部分２２２を設けることにより、発光ユニット２０がたわんだ場合でも、器具本体１０と発光ユニット２０との境界部分に隙間が生じないので、見栄えが悪くならない。
【００４３】
また、取り扱いの際に作業者が一対の突出部分２２１を掴むことにより、発光ユニット２０をしっかりとホールドすることができるので、見栄えを悪くせずに、取り扱い易くすることができる。
また、透光性カバー２２が、器具本体１０の開口部分から横方向に食み出さないので、見た目がスッキリしてデザイン性に優れる。
また、一対の突出部分２２１に凹凸２２１ａを設けることにより、凹凸２２１ａが滑り止めとなり、発光ユニット２０をよりしっかりとホールドすることができ、デザイン性にも優れ、且つ、光を強く拡散して天井面を照らし、明るく感じさせることができる。
【産業上の利用可能性】
【００４４】
本発明は、長尺な照明装置に適用することができる。本発明によって、見栄えを悪くせずに、たわみを抑制することができ、たわんだ場合でも見栄えが悪くならず、取り扱い易く、且つ見た目がスッキリしてデザイン性に優れる長尺な照明装置を提供することができるので、その産業的利用価値は極めて高い。
【符号の説明】
【００４５】
１        照明装置
１０      器具本体
１１      取付部材
１２１    第１側板
１２２    第２側板
１３ａ    第１バネ部
１３ｂ    第２バネ部
１４      端子台
２０      発光ユニット
２１      発光素子
２２      透光性カバー
２２０    カバー部分（カバー本体）
２２１    突出部分
２２１ａ  凹凸
２２１ｂ  突出片
２２２    入り込み部分
２２２ａ  突出片
２３    発光素子基板
２４    発光素子支持部材（支持部材）
２４ａ  基板支持部
２４ｂ  折返部（当接部）
３０    主反射部材（反射部材）
３０ａ  支持領域部
３０ｂ  延伸領域部
【図１】
2017045595.tif 000003
【図２】
2017045595.tif 000004
【図３】
2017045595.tif 000005
【図４】
2017045595.tif 000006
【図５】
2017045595.tif 000007
【図６】
2017045595.tif 000008
【図７】
2017045595.tif 000009
【図８】
2017045595.tif 000010
【図９】
2017045595.tif 000011
【図１０】
2017045595.tif 000012